(57)【特許請求の範囲】
【請求項１】
多角柱の頭を設けたボルトを回転させて、前記ボルトに螺合された螺合体の位置を調整する位置調整装置であって、
前記多角柱の頭に嵌合する凹部と、前記凹部の外側に形成された爪車と、を備える嵌合部材と、
前記爪車との係止位置と、前記爪車との係止解除位置と、の間で回動する第１の係止部材と、
前記爪車との係止位置と、前記爪車との係止解除位置と、の間で回動する第２の係止部材と、
すくなくとも前記第１の係止部材、及び前記第２の係止部材を装着する支持部材と、
を有し、
回転治具により前記第２の係止部材を前記爪車との係止解除位置に回動させ、且つ前記回転治具により前記支持部材を第１の方向に回転させることにより、前記爪車との係止位置にある前記第１の係止部材が前記嵌合部材を前記第１の方向に回転させ、
回転治具により前記第１の係止部材を前記爪車との係止解除位置に回動させ、且つ前記回転治具により前記支持部材を第１の方向とは逆方向の第２の方向に回転させることにより、前記爪車との係止位置にある前記第２の係止部材が前記嵌合部材を前記第２の方向に回転させることを特徴とする位置調整装置。
【請求項２】
前記第１の係止部材を前記爪車との係止位置の方向へ付勢する第１の付勢部材を有することを特徴とする請求項１に記載の位置調整装置。
【請求項３】
前記第２の係止部材を前記爪車との係止位置の方向へ付勢する第２の付勢部材を有することを特徴とする請求項１または２に記載の位置調整装置。
【発明の詳細な説明】
【技術分野】
【０００１】
本発明は、物の高さ位置を調整する位置調整装置に関する。
【背景技術】
【０００２】
オフィス等に設置している複写機などの事務機には、床に対して水平に設置するように高さ調整機構が設けられている。特に大容量の記録紙が供給可能な給紙装置や、複数枚の記録紙を束ねて冊子にする後処理装置などをシステム化した事務機では、それぞれの装置に記録紙を受け渡すために搬送経路を一致しなければならず、高さ調整が必要になってくる。しかし、それぞれの装置の高さを規定の範囲内に調整するには、多くの時間を要する。例えば、六角形の頭をもった六角ボルトをネジ込んで高さを調整する場合、六角ボルトは、同じネジピッチを有するネジ穴に回転しながらネジ込まれ、その高さが可変する。このとき、六角ボルトに大きな負荷が掛かった状態でネジ込みを行う際には、一般にスパナなどの特殊工具を使用して行う。また、スパナには、六角形にあわせて所定の角度が設けてあり、スパナを六角形の頭に挿入し、ボルトを少し回転させた後、スパナを外して再度六角形の頭に挿入させることを繰り返しながらネジ込む作業を行っている。このようにスパナなどの特殊工具を用いた作業は熟練を要し、誰でもが行える作業ではない。
【０００３】
調整作業を容易にするために、特許文献１には高さ調整用のボルトに固定されたナットと嵌合する調整ハンドルを設け、調整ハンドルを回転させることにより、工具や腕力を要することなく簡単に調整できるという技術が公開されている。
【特許文献１】実開平７−３１４０５号公報
【発明の開示】
【発明が解決しようとする課題】
【０００４】
しかしながら、特許文献１に開示の調整ハンドルを回転させるという技術では、質量物の高さ調整を行う際に回転モーメントを大きくする必要があり、そのために調整ハンドルの枝の部分を長くしなければならず、場合によっては人の足にぶつかって怪我をするという問題が発生する。
【０００５】
本発明の目的は、上記問題を解決するために、専用の工具を用いることなく高さ調整が容易に行え、かつコンパクトな位置調整装置を提供することである。
【課題を解決するための手段】
【０００６】
上記目的は、下記構成により達成できる。すなわち、
１．多角柱の頭を設けたボルトを回転させて、前記ボルトに螺合された螺合体の位置を調整する位置調整装置であって、
前記多角柱の頭に嵌合する凹部と、前記凹部の外側に形成された爪車と、を備える嵌合部材と、
前記爪車との係止位置と、前記爪車との係止解除位置と、の間で回動する第１の係止部材と、
前記爪車との係止位置と、前記爪車との係止解除位置と、の間で回動する第２の係止部材と、
すくなくとも前記第１の係止部材、及び前記第２の係止部材を装着する支持部材と、を有し、
回転治具により前記第２の係止部材を前記爪車との係止解除位置に回動させ、且つ前記回転治具により前記支持部材を第１の方向に回転させることにより、前記爪車との係止位置にある前記第１の係止部材が前記嵌合部材を前記第１の方向に回転させ、
回転治具により前記第１の係止部材を前記爪車との係止解除位置に回動させ、且つ前記回転治具により前記支持部材を第１の方向とは逆方向の第２の方向に回転させることにより、前記爪車との係止位置にある前記第２の係止部材が前記嵌合部材を前記第２の方向に回転させることを特徴とする位置調整装置。
２．前記第１の係止部材を前記爪車との係止位置の方向へ付勢する第１の付勢部材を有することを特徴とする１に記載の位置調整装置。
３．前記第２の係止部材を前記爪車との係止位置の方向へ付勢する第２の付勢部材を有することを特徴とする１または２に記載の位置調整装置。
【発明の効果】
【０００７】
本発明によれば、位置調整をする際に、汎用の工具で爪車の係止を解除しながら回転させるので、熟練を要せず容易に調製作業を行うことができる。
【発明を実施するための最良の形態】
【０００８】
本発明の実施の形態を説明する。なお、本発明を図示の実施の形態に基づいて説明するが、本発明は該実施の形態に限らない。また、以下の、本発明の実施の形態における断定的な説明は、ベストモードを示すものであって、本発明の用語の意義や技術的範囲を限定するものではない。
【０００９】
本発明に係る位置調整装置１について、図１、図２、及び、図３を用いて説明する。
【００１０】
図１は、位置調整装置１を多角柱の頭を設けたボルト２に取り付けたところを示す図である。本実施の形態では、ボルト２は六角ボルトを使用し、ネジ込み先の部材にはボルトのネジピッチと同じネジピッチをもったネジ穴３が設けてある。
【００１１】
図２は、位置調整装置１の上面からみた断面図、図３はその斜視図である。図２、図３は、蓋に相当する部分は省略してある。また図３は、内部構造を明確にするため一部を想像線（二点鎖線）で示してある。
【００１２】
符号４は、ボルト２の六角形の頭（六角ヘッドという）に嵌合する凹部５と、その外側に爪車６を形成した嵌合部材である。嵌合部材４は、回転自在になるように支持部材９に取り付けられている。また爪車６を係止するために支持部材９に設けられた回転軸Ｊ１を中心として回転する第１の係止部材７１が軸着されて、係止部材７１を爪車６方向に付勢する付勢部材としてのバネ８１が設けられている。また同じく、回転軸Ｊ１を中心として回転する第２の係止部材７２が軸着され、係止部材７２を爪車６方向に付勢する付勢部材としてのバネ８２が設けられている。
【００１３】
さらに位置調整装置１を構成する支持部材９には、係止部材７１、７２の付勢を解除する回転治具Ｄ（図４参照）を挿入する挿入口１０、１１が、２つの係止部材７１、７２に対応する位置に設けられている。また挿入口１０と１１の間には分離壁１２が設けられている。分離壁１２は、回転治具Ｄが位置調整装置１を回転させる回転モーメントに抗して充分な強度をもつ形状、または部材から形成されている。
【００１４】
このように構成された位置調整装置１は、図４に示すように、回転治具Ｄとしてのドライバーを挿入口１０に挿入し、係止部材７１を押し付けると、係止部材７１がバネ８１に抗して爪車６から外れる。この状態で第１の方向（矢印Ｘ方向）にドライバーを回転させると、嵌合部材４の凹部５で六角ヘッド部と嵌合されているボルト２がＸ方向に回転する。次に、係止部材７１を押し付けた状態でドライバーを第２の方向（矢印Ｙ方向）に回転すると、係止部材７１は爪車６に摺動しながら位置調整装置１のみが回転し、ボルト２は回転しない。
【００１５】
同様に、ドライバーを挿入口１１に挿入し、係止部材７２を押し付けて爪車６から外れた状態で、矢印Ｙ方向にドライバーを回転させると、ボルト２はＹ方向に回転する。次に、係止部材７２を押し付けた状態でドライバーをＸ方向に回転すると、係止部材７２は爪車６に摺動しながら位置調整装置１のみが回転し、ボルト２は回転しない。
【００１６】
図５は、事務機などに位置調整装置を適用した実施例を示す断面図である。図５においてボルト２の換わりに、キャスターユニットを用いている。
【００１７】
事務機の底板ＢＰにはキャスターユニットＣａのネジ軸２１に螺合するナット３１が溶接などにより固定されている。キャスターユニットＣａの高さ方向に関する位置調整（高さ調整という）は、ネジ軸２１に固定されているナット４１を回転させることにより行っている。このナット４１に嵌合する凹部５１を有する位置調整装置１を図５のように取り付け、回転治具Ｄとしてのドライバーを挿入口１０、１１から挿入し、ドライバーごとＸ方向またはＹ方向（図３参照）に回転させることにより高さ調整を容易に行うことができる。実測によれば本発明の位置調整装置１を用いて高さ調整する時間は、スパナを用いて調整する時間の半分から１／３で調整作業が完了した。
【００１８】
このように本発明の位置調整装置１は、スパナなどの特殊工具を用いることなく、標準工具であるドライバーを用いて、抜き差しせずに一方向にボルトを回転させることができるので効率的に位置調整作業が行える。しかもキャスターユニットＣａのネジ軸２１に位置調整装置１を組み込んだ状態においても、回転工具としてのドライバーは引き抜くだけで簡単に取り外しができるので、その分コンパクトな位置調整装置１が提供できる。
【図面の簡単な説明】
【００１９】
【図１】位置調整装置をボルトに取り付けたところを示す図である。
【図２】位置調整装置を上面からみた断面図である。
【図３】位置調整装置の斜視図である。
【図４】位置調整装置に解除部材を挿入したところを示す図である。
【図５】事務機などに位置調整装置を適用した実施例を示す断面図である。
【符号の説明】
【００２０】
１  位置調整装置
２  ボルト
４  嵌合部材
６  爪車
７１、７２  係止部材
８１、８２  弾性部材
９  支持部材
１０、１１  挿入口
Ｄ  回転治具
【図１】
0005098810.tif 000002
【図２】
0005098810.tif 000003
【図３】
0005098810.tif 000004
【図４】
0005098810.tif 000005
【図５】
0005098810.tif 000006